(57)【要約】【課題】薄型化、軽量化、狭額縁化に適応可能な液晶表示装置を提供する。【解決手段】複数の表示画素PXが配列された表示領域１２を備える液晶表示パネル１０と、液晶表示パネル１０を背面から照明する面光源装置２０と、液晶表示パネル１０と面光源装置２０とを支持するフレーム３０と、を備え、面光源装置２０は、光源と、液晶表示パネル１０に対向した光出射面２２ａと光出射面２２ａに対向する対向面２２ｂとを有し、光源からの出射光を面状光に変換する導光体２２と、導光体２２の対向面２２bに重ねて配置された複数の光学シート２６と、を備え、フレーム３０は、導光体２２の対向面２２bに向い合った支持部３４と支持部３４に形成された凹部３２とを有し、光学シート２６は、支持部３４の凹部３２内に延びた舌片２６aを有し、導光体２２と舌片２６aとは、１本のテープ２８によってフレーム３０に固定される。【選択図】      図３
2006133680.tif 000002
【特許請求の範囲】
【請求項１】
複数の表示画素が配列された表示領域を備える液晶表示パネルと、
前記液晶表示パネルを背面から照明する面光源装置と、
前記液晶表示パネルと前記面光源装置とを支持するフレームと、を備え、
前記面光源装置は、光源と、
前記液晶表示パネルに対向した光出射面とこの光出射面に対向した対向面とを有し、前記光源からの出射光を面状光に変換する導光体と、
前記導光体の対向面に重ねて配置された光学シートと、を備え、
前記フレームは、前記導光体の前記対向面に向い合った支持部と、前記支持部に形成された凹部を有し、
前記光学シートは、前記支持部の凹部内に延びた舌片を有し、
前記導光体と前記舌片とは、１本のテープによって前記フレームに固定される液晶表示装置。
【請求項２】
前記フレームの凹部の深さは、前記光学シートの厚さとほぼ等しい請求項１または請求項２記載の液晶表示装置。
【請求項３】
前記テープは、前記舌片と前記支持部の支持面とに接着する第１接着面と、前記導光体の対向面に接着する第２接着面とを有する両面テープである請求項１または請求項２記載の液晶表示装置。
【請求項４】
前記テープは、前記舌片の延びる方向と略直交する方向に延びて接着される請求項１乃至請求項３のいずれか１項に記載の液晶表示装置。
【請求項５】
前記液晶表示パネルの一側縁に電気的に接続された制御回路基板と、
前記液晶表示パネルの周縁部を保持するベゼルカバーと、をさらに備える請求項１記載の液晶表示装置。
【発明の詳細な説明】
【技術分野】
【０００１】
本発明は、導光体の支持部に凹部を有するフレームを備えた液晶表示装置に関する。
【背景技術】
【０００２】
一般に、液晶表示装置は複数の表示画素が配列された表示領域を備えた液晶表示パネルと、液晶表示パネルを背面から照明する面光源装置と、液晶表示パネルおよび面光源装置を支持するフレームとを有している。
【０００３】
面光源装置は、光を放射する光源と、光源からの入射光を面状光に変換する導光体とを有している。導光体は、光源から入射された光を出射する光出射面と光出射面に対向した対向面とを有し、光出射面と対向面とのそれぞれに対向する位置には、複数の光学シートが配置されている。光出射面側には、例えば、導光体の出射光を集光する集光シート、および出射光を拡散する拡散シート等が配置され、対向面側には、光学シートとして反射シートが配置される。
【０００４】
上記の液晶表示装置では、フレーム上に反射シートが配置され、反射シート上に導光体が配置される。このとき、反射シートと導光体とが個々にフレームに固定される方法と、反射シートは固定されず導光体のみがフレームに固定される方法とがある。
【０００５】
一方、狭額縁の液晶表示装置でも輝度ムラを生じないように導光体と反射シートとを接着する方法が提案されている。（特許文献１参照）
【特許文献１】特開平８−６８９１１号公報
【発明の開示】
【発明が解決しようとする課題】
【０００６】
上記の導光体とが個々にフレームに固定される方法では、液晶表示装置を薄型化することが難しい。反射シートは固定されず導光体のみがフレームに固定される方法では、反射シートがフレームから外れてしまう場合がある。そのため、フレームの額縁を十分に大きく確保する必要があり、軽量化、狭額縁化の実現が難しい。
【０００７】
一方、特許文献１に記載された方法は、導光体と反射シートとを接着する位置を限定するものであり、導光体と反射シートとをフレームに固定するものではない。
【０００８】
本発明は、上記の問題点に鑑みて成されたものであって、薄型化、軽量化、狭額縁化に適応可能な液晶表示装置を提供することを目的とする。
【課題を解決するための手段】
【０００９】
本発明の様態による液晶表示装置は、複数の表示画素が配列された表示領域を備える液晶表示パネルと、前記液晶表示パネルを背面から照明する面光源装置と、前記液晶表示パネルと前記面光源装置とを支持するフレームと、を備え、前記面光源装置は、光源と、前記液晶表示パネルに対向した光出射面とこの光出射面に対向した対向面とを有し、前記光源からの出射光を面状光に変換する導光体と、前記導光体の対向面に重ねて配置された光学シートと、を備え、前記フレームは、前記導光体の前記対向面に向い合った支持部と、前記支持部に形成された凹部を有し、前記光学シートは、前記支持部の凹部内に延びた舌片を有し、前記導光体と前記舌片とは、１本のテープによって前記フレームに固定される液晶表示装置。
【発明の効果】
【００１０】
本発明によれば、薄型化、軽量化、狭額縁化に適応可能な液晶表示装置を提供することができる。
【発明を実施するための最良の形態】
【００１１】
以下、本発明の一実施の形態に係る液晶表示装置について図面を参照して説明する。図１は、本発明に係る液晶表示装置を概略的に示す分解斜視図である。液晶表示装置１００は、複数の表示画素ＰＸが配列された表示領域１２を備える液晶表示パネル１０と、液晶表示パネル１０を背面から照明する面光源装置２０と、液晶表示パネル１０と面光源装置２０とを支持するフレーム３０と、フレーム３０に取り付けられて液晶表示パネル１０の周縁部を保持するベゼルカバー４０とを備えている。
【００１２】
液晶表示パネル１０は、対向配置されたアレイ基板１１と対向基板１３とを備えている。アレイ基板１１と対向基板１３との間には、例えばツイスト・ネマチック（TN）型の液晶層が挟持され、アレイ基板１１と対向基板１３との外側にはそれぞれ偏光版１８が配置されている。アレイ基板１１は、表示部１２において、画素ＰＸの行方向に沿って延在する複数の走査線ＳＬ、画素ＰＸの列方向に沿って延在する複数の信号線ＤＬ有している。走査線ＳＬと信号線ＤＬとの交差部付近には、画素ＰＸ毎に配置されたスイッチング素子Ｓw等が備えられている。スイッチング素子Ｓwは、例えばポリシリコン半導体層を有した薄膜トランジスタ（ＴＦＴ）によって構成されている。
【００１３】
矩形平板状の制御回路基板１６は、液晶表示パネル１０に駆動信号を供給する。制御回路基板１６は、細長い矩形略平板状のフレキシブル基板１４を介して、液晶表示パネル１０の一側縁に電気的に接続されている。フレキシブル基板１４には信号線駆動集積回路、走査線駆動集積回路等の駆動集積回路が搭載され、制御回路基板１６はフレキシブル基板１４を湾曲させて面光源装置２０の背面側に配置される。
【００１４】
図２に、図１に示す液晶表示装置１００を切断した断面図を示す。面光源装置２０は、光源としての冷陰極管（図示しない）と、冷陰極管から入射された光を面状光に変換する導光体２２とを備えている。冷陰極管は導光体２２の一辺に沿って配置されている。導光体２２は、冷陰極管から入射された光を出射する光出射面２２ａと、光出射面２２ａに対向する対向面２２ｂとを備えている。導光体２２の光出射面２２aと対向面２２bとにそれぞれ対向する位置には、複数の光学シート２４、２６が配置されている。
【００１５】
導光体２２の光出射面２２a側に配置された光学シート２４は、導光体２２の光出射面２２ａから出射された面状光に対して所定の光学特性を付与するもので、例えば、導光体２２の出射光を集光する集光シート、および出射光を拡散する拡散シート等である。導光体２２の対向面２２ｂ側に配置された光学シート２６は反射シート２６で、導光体２２の対向面２２ｂから外部へ出た光を導光体２２に戻すべく反射する。
【００１６】
フレーム３０上には、反射シート２６と導光体２２とが順に重ねられて収容される。このとき、反射シート２６および導光体２２は、両面テープ２８によってフレーム３０に固定される。
【００１７】
図３は、図２に示す液晶表示装置１００をＢ−Ｂで切断した断面図で、図４は図３に示す断面図をＣ−Ｃでさらに切断した断面図である。なお、図３では、フレーム３０および反射シート２６の説明のため、導光体２２を破線で示している。
【００１８】
図３および図４に示すように、フレーム３０は、導光体２２の対向面２２ｂに向い合った支持部３４を有している。支持部３４は、フレーム３０の冷陰極管が配置された反対側の一端に形成されるとともに、導光体２２を支持する支持面３６と液晶表示装置１００の厚さ方向に形成された複数の凹部３２とを有している。ここで、厚さ方向は図４に示すＷ方向とする。凹部３２は、フレーム３０の長手方向に並んで２箇所に形成されている。反射シート２６は、支持部３４の凹部３２の形状に沿って反射シート２６の面方向に延びる舌片２６ａを有している。ここで、フレーム３０の長手方向は図３に示すＸ方向で、反射シート２６の面方向は図３に示すＹ方向とする。舌片２６ａのＸ方向の幅は、凹部３２のＸ方向の幅よりも短い。このことから、舌片２６ａを凹部３２に容易に差し込むことができる。
【００１９】
図４に示すように、凹部３２の深さは反射シート２６の厚さとほぼ等しく、凹部３２に舌片２６ａを配置すると、支持部３４の支持面３６と舌片２６ａの上面とが略水平に並ぶ。ここで、凹部３２の深さおよび反射シート２６の厚さは、図４に示すW方向の長さとする。支持面３６と舌片２６ａの上面との上には、両面テープ２８が貼り付けられる。両面テープ２８は、第１接着面２８ａと第１接着面２８ａに対向する第２接着面２８ｂとを有しているとともに、Y方向に略直交する方向に延びている。支持部３４の支持面３６と舌片２６ａとは、両面テープ２８の第１接着面２８ａ側に接着される。両面テープ２８の第２接着面２８ｂ上には、導光体２２が配置され、第２接着面２８ｂと導光体２２の対向面２２ｂとが接着される。本実施形態では、例えば、支持部３４での導光体２２の厚さが約０.６mm、反射シート２６の厚さが約０.１８８mm、両面テープ２８の厚さが約０.１mmである。
【００２０】
上記のように、フレーム３０の凹部３２と凹部３２に沿って延びる舌片２６ａとを形成し、フレーム３０の支持部３４上から両面テープ２８を貼り付けると、導光体２２および反射シート２６は両面テープ２８を介してフレーム３０に固定される。このことにより、液晶表示装置１００を厚くすることなく、１本の両面テープ２８によって導光板２２と反射シート２６とのいずれもフレーム３０に固定することができる。上記の実施形態では、従来の反射シートと導光体とが個々にフレームに固定される方法と比較して、導光体２２を支持する側の端部における液晶表示装置１００の厚さを、両面テープ２８の１枚分の厚さ、すなわち約０.１mm薄くすることができる。
【００２１】
また、本発明によれば、導光体２２と反射シート２６との両方がフレームに固定されるため、反射シート２６がフレーム３０から外れる恐れもない。そのため、フレームの額縁を大きく確保する必要がなく、軽量化、狭額縁化に適応可能となる。
【００２２】
上記のように、本発明によれば薄型化、軽量化、狭額縁化に適応可能な液晶表示装置を提供することができる。
【００２３】
なお、この発明は、上記実施形態そのままに限定されるものではなく、実施段階ではその要旨を逸脱しない範囲で構成要素を変形して具体化できる。
【００２４】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００２５】
例えば、上記の実施形態ではフレーム３０の凹部３２は２箇所であるが、その数が増えても減っても、上記の実施形態と同様の効果が得られる。ただし、凹部３２を支持部３４の長手方向に延びた端部に形成するよりも、中央部に形成するほうが望ましい。
【００２６】
また、上記の実施形態では、面光源装置２０は導光体２２の光出射面２２ａに対向する光学シート２４を有しているが、本発明は少なくとも導光体２２の対向面２２ｂ側に反射シート２６が配置されていれば実施可能であり、光学シート２４を省略しても上記の実施形態と同様の効果を得ることができる。
【００２７】
上記の実施形態では、液晶表示パネル１０にTN型の液晶層が用いられているが、他の構造の液晶層を用いた光透過型の液晶表示パネルを用いても同様の効果が得られる。また、上記の実施形態ではフレキシブル基盤１４が駆動集積回路を有しているが、駆動集積回路の一部または全部をアレイ基板上１１に直接形成しても良く、薄膜トランジスタ、および駆動集積回路を一体的にした半導体素子を備えた液晶表示パネル１０を用いても良い。これらの場合、フレキシブル基板１４の数を減らし、制御回路基板１６を小型化できるため、液晶表示装置１００の一層の小型化、軽量化を達成することができる。
【図面の簡単な説明】
【００２８】
【図１】本発明に係る液晶表示装置を概略的に示す分解斜視図。
【図２】図１に示す液晶表示装置をＡ−Ａの位置で切断した断面図。
【図３】図２に示す液晶表示装置をＢ−Ｂで切断した断面図。
【図４】図３に示す液晶表示装置の断面図をＣ−Ｃで切断した断面図。
【符号の説明】
【００２９】
１００…液晶表示装置、１０…液晶表示パネル、１１…アレイ基板、１２…表示部、１３…対向基板、１４…駆動集積回路基板、１６…回路基板、PX…表示画素、２０…面光源装置、２２…導光板、２４…光学シート、２６…反射シート、２６ａ…舌片、２８…両面テープ、２８ａ…第１接着面、２８ｂ…第２接着面、３０…フレーム、３２…凹部、３４…支持部、３６…支持面、４０…ベゼルカバー
【図１】
2006133680.tif 000003
【図２】
2006133680.tif 000004
【図３】
2006133680.tif 000005
【図４】
2006133680.tif 000006